【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
結合剤が混和された細長い木質材片を配向積層装置で長さ方向に略揃えて積み重ねた木質積層マットを、搬送積層装置からプレス成形装置まで搬送する木質積層マットの搬送装置上に設けられるサイドガイドであって、該サイドガイドの内側面に、そのシートの下流側一端がサイドガイド端部から突出しないようにサイドガイド内側向きに折り曲げられた、弾性を有するシートが設けられ、折り曲げ個所が木質積層マットにより押し広げられるようになされており木質積層マットが通過後に、シートが元の折り曲げられた形状に戻るようになされていることを特徴とするサイドガイド。
【請求項２】
結合剤が混和された細長い木質材片を配向積層装置で長さ方向に略揃えて積み重ねた木質積層マットを、搬送積層装置からプレス成形装置まで搬送する木質積層マットの搬送装置であって、搬送装置上に請求項１記載の複数のサイドガイドが直列に連設されていることを特徴とする木質積層マットの搬送装置。
【請求項３】
請求項２記載の木質積層マットの搬送装置に、結合剤が混和された細長い木質材片を配向積層装置で長さ方向に略揃えて積み重ねた木質積層マットを供給し、木質積層マットが連設部を通過する時に、木質積層マットによって、シートの折り曲げられた個所で、シートをサイドガイド内側に押し広げつつ木質積層マットを連設部を通過させ、木質積層マットが通過後に、シートが元の折り曲げられた形状に戻ることを特徴とする木質積層マットの搬送方法。
【手続補正２】
【補正対象書類名】明細書
【補正対象項目名】００１８
【補正方法】変更
【補正の内容】
【００１８】
請求項１記載のサイドガイドは、結合剤が混和された細長い木質材片を配向積層装置で長さ方向に略揃えて積み重ねた木質積層マットを、搬送積層装置からプレス成形装置まで搬送する木質積層マットの搬送装置上に設けられるサイドガイドであって、該サイドガイドの内側面に、そのシートの下流側一端がサイドガイド端部から突出しないようにサイドガイド内側向きに折り曲げられた、弾性を有するシートが設けられ、折り曲げ個所が木質積層マットにより押し広げられるようになされており木質積層マットが通過後に、シートが元の折り曲げられた形状に戻るようになされていることを特徴とする。
【手続補正３】
【補正対象書類名】明細書
【補正対象項目名】００１９
【補正方法】変更
【補正の内容】
【００１９】
請求項２記載の木質積層マットの搬送装置は、結合剤が混和された細長い木質材片を配向積層装置で長さ方向に略揃えて積み重ねた木質積層マットを、搬送積層装置からプレス成形装置まで搬送する木質積層マットの搬送装置であって、搬送装置上に請求項１記載の複数のサイドガイドが直列に連設されていることを特徴とする。
【手続補正４】
【補正対象書類名】明細書
【補正対象項目名】００２０
【補正方法】変更
【補正の内容】
【００２０】
請求項３記載の木質積層マットの搬送方法は、請求項２記載の木質積層マットの搬送装置に、結合剤が混和された細長い木質材片を配向積層装置で長さ方向に略揃えて積み重ねた木質積層マットを供給し、木質積層マットが連設部を通過する時に、木質積層マットによって、シートの折り曲げられた個所で、シートをサイドガイド内側に押し広げつつ木質積層マットを連設部を通過させ、木質積層マットが通過後に、シートが元の折り曲げられた形状に戻ることを特徴とする。
【手続補正５】
【補正対象書類名】明細書
【補正対象項目名】００３９
【補正方法】変更
【補正の内容】
【００３９】
本発明のサイドガイドにおいて、サイドガイドの内側面即ち木質積層マットの両側面が接触する側の全面にそのシートの下流側一端がサイドガイド端部から突出しないようにサイドガイド内側向きに折り曲げられた、弾性を有するシートが設けられ、折り曲げ個所が木質積層マットにより押し広げられるようになされており木質積層マットが通過後に、シートが元の折り曲げられた形状に戻るようになされている。
【手続補正６】
【補正対象書類名】明細書
【補正対象項目名】００５１
【補正方法】変更
【補正の内容】
【００５１】
本発明のの木質積層マットの搬送装置は、結合剤が混和された細長い木質材片を配向積層装置で長さ方向に略揃えて積み重ねた木質積層マットを、搬送積層装置からプレス成形装置まで搬送する木質積層マットの搬送装置であって、搬送装置上に制球項1記載の複数のサイドガイドが直列に連接されている。
【手続補正７】
【補正対象書類名】明細書
【補正対象項目名】００５２
【補正方法】変更
【補正の内容】
【００５２】
即ち、この搬送装置では、全ての搬送ラインにおいて制球項1記載のサイドガイドが直列に連接されているので、例えば、搬送ライン途中やストックヤードへの木質積層マットの積み替え、或いはプレス成形装置の成型金型への木質積層マットの移載時など、木質積層マットの移動時に、木質積層マットの配向状態や積層状態が変わることなく木質積層マットを移動できる搬送装置となる。
【手続補正８】
【補正対象書類名】明細書
【補正対象項目名】００５３
【補正方法】変更
【補正の内容】
【００５３】
請求項３記載の木質積層マットの搬送方法は、請求項２記載の木質積層マットの搬送装置に、結合剤が混和された細長い木質材片を配向積層装置で長さ方向に略揃えて積み重ねた木質積層マットを供給し、木質積層マットが連設部を通過する時に、木質積層マットによって、シートの折り曲げられた個所で、シートをサイドガイド内側に押し広げつつ木質積層マットを連設部を通過させ、木質積層マットが通過後に、シートが元の折り曲げられた形状に戻るようになされている。
【手続補正９】
【補正対象書類名】明細書
【補正対象項目名】００５４
【補正方法】変更
【補正の内容】
【００５４】
木質積層マットがサイドガイドの連設部を通過する時に、木質積層マットによって、シートの折り曲げられた個所で、シートを次のサイドガイド内側に押し広げつつ木質積層マットを連設部を通過させる。木質積層マットが通過後に、シートは元の折り曲げられた形状に戻る。即ち、この搬送方法では、請求項１記載のサイドガイドを用いるので、例えば、ライン途中やストックヤードへの木質積層マットの積み替え、或いはプレス成形装置の成型金型への木質積層マットの移載時など、木質積層マットの移動時に、シートとサイドガイドとが接触することがなく、木質積層マットの配向状態や積層状態が変わることなく木質積層マットを移動できる搬送方法となる。
【手続補正１０】
【補正対象書類名】明細書
【補正対象項目名】００５５
【補正方法】変更
【補正の内容】
【００５５】
発明のサイドガイドにおいては、上述のごとき構成となっているので、木質積層マットの積み替えが終わりサイドガイドを移動させる時は、シートはサイドガイドに接触しない。従って、木質積マットは、積み替え中もストックヤードでの移動中もその配向状態や積層状態が変わらない。
【手続補正１１】
【補正対象書類名】明細書
【補正対象項目名】００５６
【補正方法】変更
【補正の内容】
【００５６】
本発明の搬送装置においては、上述のごとき構成となっているので、搬送ライン途中やストックヤードへの木質積層マットの積み替え、或いはプレス成形装置の成型金型への木質積層マットの移載時など、木質積層マットの移動時に、木質積層マットの配向状態や積層状態が変わることなく木質積層マットを移動できる搬送装置となる。
【手続補正１２】
【補正対象書類名】明細書
【補正対象項目名】００５７
【補正方法】変更
【補正の内容】
【００５７】
本発明の搬送方法においては、上述のごとき構成となっているので、木質積マットは積み替え中もストックヤード等での移動中もその配向状態や積層状態が変わらず、また、搬送ライン途中やストックヤードでの木質積層マットの積み替え、或いはプレス成形装置の成型金型への木質積層マットの移載時など、木質積層マットの移動時に、木質積層マットの配向状態や積層状態が変わることなく木質積層マットを移動できる搬送方法となる。